(57)【特許請求の範囲】
【請求項１】
肌当接面及び非肌当接面と、前後ウエスト域の一方である第１ウエスト域と他方である第２ウエスト域と、前記第１及び第２ウエスト域の側縁部どうしが互いに接合された側部シーム域と、前記第１ウエスト域の前記非肌当接面に取り付けられたテープタブとを有する使い捨て着用物品において、
前記テープタブは、厚さ方向と、前記第１ウエスト域の前記非肌当接面に固定された近位部と、前記近位部と前記厚さ方向において対向する遠位部とを有し、
前記遠位部は、内面及び外面と、前記内面に位置する止着域と、前記止着域よりも先端側に位置する摘持部とを有し、
前記摘持部の前記外面には、第１表示要素を有する第１表示域が位置し、前記止着域の存在する領域の前記外面には、第２表示要素を有する第２表示域が位置しており、前記第１表示要素と前記第２表示要素とは、互いに表示が異なることを特徴とする前記着用物品。
【請求項２】
縦方向及びそれに交差する横方向をさらに有し、前記第１及び第２ウエスト域は、前記横方向へ弾性的に伸縮可能であって、前記近位部の一部は前記側縁部に固定されており、前記第１及び第２ウエスト域の収縮状態において、前記側部シーム域が前記第１ウエスト域を外側にして前記横方向において湾曲することによって前記近位部の一部も湾曲し、前記摘持部が前記近位部の前記湾曲した部分と離間して前記横方向の外側へ延出する請求項１に記載の着用物品。
【請求項３】
前記近位部の一部は、前記側縁部のうちの前記側部シーム域に固定される請求項１又は２に記載の着用物品。
【請求項４】
前記テープタブは、前記近位部と前記遠位部との間に位置する中間部をさらに有し、前記近位部は、前記側部シーム域に固定された第１近位部と、前記第１近位部の横方向の内側においてそれと離間して位置する第２近位部とを有し、前記中間部において、前記第１近位部と前記第２近位部との間に位置する、前記第１ウエスト域の側縁部に非固定の離間部分は、前記第１及び第２ウエスト域の収縮状態において、前記厚さ方向の外側へ凸曲した形状を有する請求項２又は３に記載の着用物品。
【請求項５】
前記テープタブは、前記近位部と前記遠位部との間に位置する中間部をさらに有し、前記近位部は、前記第１ウエスト域に固定された第１近位部と、前記第１近位部の縦方向の内側においてそれと離間して位置する第２近位部とを有し、前記第１ウエスト域が収縮した状態において前記第１近位部の配置領域の収縮量が前記第２近位部の収縮量よりも大きく、前記中間部において、前記第１近位部と前記第２近位部との間に位置する前記第１ウエスト域に非固定の離間部分は、前記厚さ方向の外側へ凸曲した形状を有する請求項１に記載の着用物品。
【請求項６】
前記摘持部と前記止着域との境界近傍には、前記近位部と前記遠位部とを仮止めするための仮止め部が位置する請求項１〜５のいずれかに記載の着用物品。
【請求項７】
前記テープタブの折り畳まれた状態において、前記第１表示要素の総面積が前記第２表示要素の総面積よりも大きく、前記テープタブの展開された状態において、前記第２表示要素の総面積が前記第１表示要素の総面積よりも大きい請求項１〜６のいずれかに記載の着用物品。
【請求項８】
前記第１表示要素が連続的な形状を有し、前記第２表示要素が非連続的な形状を有しており、前記第２表示要素の装飾性が前記第１表示要素の装飾性よりも高い請求項１〜７のいずれかに記載の着用物品。
【請求項９】
前記テープタブを前記非肌当接面に止着した状態において、前記第１及び第２表示要素のうちの一方と前記非肌当接面において視認される表示要素とが連関性を有する請求項１〜８のいずれかに記載の着用物品。
【請求項１０】
前記遠位部は、前記摘持部を除く残余部分を有し、前記残余部分の外面全体に前記第２表示域が位置する請求項１〜９のいずれかに記載の着用物品。
【請求項１１】
前記テープタブは、前記遠位部を形成する、前記第１及び第２表示域が配置されたテープ基材をさらに有し、前記テープタブを展開した状態において、前記第２表示域は、前記内面に前記止着域が位置する第１区域と、前記第１区域と隣接する第２区域と、前記近位部側に位置し、かつ、前記テープ基材とは別体のシートが前記外面に配置された第３区域とを有し、前記各区域における前記第２表示要素の視認性の相関関係が、第１区域＞第２区域＞第３区域である請求項１０に記載の着用物品。
【発明の詳細な説明】
【技術分野】
【０００１】
本発明は、使い捨て着用物品に関し、より詳しくは、テープタブを備えた使い捨て着用物品に関する。
【背景技術】
【０００２】
従来、テープタブを備えた使い捨て着用物品は公知である。例えば、特許文献１には、おむつ本体の前後ウエスト域に複数条のウエスト弾性体が配設されており、前後ウエスト域を連結するシーム部に固定された一対のテープタブを有する使い捨て着用物品が開示されている。一対のテープタブは、フック要素等からなる止着域とそれよりも先端側に位置する摘持部を有する。
【先行技術文献】
【特許文献】
【０００３】
【特許文献１】実開平６−７７７１９号
【発明の概要】
【発明が解決しようとする課題】
【０００４】
特許文献１に開示の着用物品によれば、着用中にテープタブを使用することによって、ウエスト周りの大きさを調整して種々のサイズの着用者にもフィットさせてずり落ちを防止することができるとともに、着用後に、排泄物を包み込むように着用物品を丸め、テープタブで丸めた状態が維持できるように止着することによって、衛生的に廃棄することができる。
【０００５】
かかる着用物品においては、着用物品の外面全体とテープタブ全体が、それらを形成する不織布又はプラスチックフィルム本来の白色であるから、着用物品の着用者／着用補助者は、テープタブを使用する際に一見してテープタブの外形輪郭を視認することができず、テープタブの摘持部を摘持し難い。また、テープタブ全体に着色やデザインを施した場合であっても、テープタブ全体における摘持部の領域範囲や止着域の位置を視認することができないので、指でテープタブの止着域を着用物品の外面に押し当てて止着するときに、押圧するべき範囲を特定することができない。
【０００６】
そこで、本発明の課題は、従来の技術の改良であって、摘持が容易であって、止着操作するときの案内となる表示を有するテープタブを備えた使い捨て着用物品の提供に関する。
【課題を解決するための手段】
【０００７】
本願は、肌当接面及び非肌当接面と、前後ウエスト域の一方である第１ウエスト域と他方である第２ウエスト域と、前記第１及び第２ウエスト域の側縁部どうしが互いに接合された側部シーム域と、前記第１ウエスト域の前記非肌当接面に取り付けられたテープタブとを有する使い捨て着用物品に関する。
【０００８】
本願の使い捨て着用物品は、前記テープタブは、厚さ方向と、前記第１ウエスト域の前記非肌当接面に固定された近位部と、前記近位部と前記厚さ方向において対向する遠位部とを有し、前記遠位部は、内面及び外面と、前記内面に位置する止着域と、前記止着域よりも先端側に位置する摘持部とを有し、前記摘持部の前記外面には、第１表示要素を有する第１表示域が位置し、前記止着域の存在する領域の前記外面には、第２表示要素を有する第２表示域が位置しており、前記第１表示要素と前記第２表示要素とは、互いに表示が異なることを特徴とする。
【発明の効果】
【０００９】
本発明に係る使い捨て着用物品によれば、テープタブの摘持部の外面に位置する第１表示域と止着域の存在する部分の外面に位置する第２表示域とが、互いに表示の異なる表示要素を有することから、テープタブを使用するとき、
それらの表示域が摘持するべき部分と止着するべき部分とを案内する表示として機能して、止着操作を容易に行うことができる。
【図面の簡単な説明】
【００１０】
図面は、本発明に係る使い捨て着用物品の特定の実施の形態を示し、発明の不可欠な構成ばかりでなく、選択的及び好ましい実施の形態を含む。
【図１】本発明に係る使い捨て着用物品の一例として示す、使い捨てのおむつの正面図。
【図２】背面から視たおむつの背面図。
【図３】おむつの側部シーム域を剥離して前後方向に伸展した状態をその内面から見た一部破断展開平面図。
【図４】おむつの側面図。
【図５】図４のＶ−Ｖ線に沿う断面図。
【図６】前後ウエスト域が伸長された状態における、図５と同様の断面図。
【図７】（ａ）折り畳まれた状態におけるテープタブの平面図、（ｂ）展開された状態におけるテープタブの平面図。
【図８】（ａ）おむつを廃棄するときに、テープタブを止着操作する様子を示す図、（ｂ）折り畳んだおむつにテープタブを止着した様子を示す図。
【図９】実施例の一例に係るおむつの図６と同様の断面図。
【図１０】他の実施例におけるおむつの背面図。
【図１１】他の実施例におけるおむつの図６と同様の断面図。
【図１２】さらに他の実施例における図８（ｂ）と同様の図。
【発明を実施するための形態】
【００１１】
図１〜４を参照すると、本発明の使い捨て着用物品の一例として示す使い捨ておむつ１０は、縦方向Ｙ及びそれに交差（直交）する横方向Ｘとを有し、肌当接面及びそれに対向する非肌当接面と、ウエスト周り方向へ延びる環状の弾性ウエストパネル１１と、弾性ウエストパネル１１と接合される吸液構造体１２と、前ウエスト域（第１又は第２ウエスト域）１３と、後ウエスト域（第１又は第２ウエスト域）１４と、前後ウエスト域１３，１４間に位置するクロッチ域１５とを含む。おむつ１０は、縦方向Ｙに沿って延びて横方向Ｘの寸法を二等分する縦軸に関して対称に形成されており、弾性ウエストパネル１１は、前ウエスト域１３に位置する前ウエストパネル１６と、後ウエスト域１４に位置する後ウエストパネル１７とから構成される。なお、本明細書における「使い捨て着用物品」は、ウエスト開口と一対のレッグ開口とを有する、いわゆるプルオン型（パンツ型）の着用物品であって、例えば、着用者の脚をレッグ開口に挿入してその物品を着用者のウエストに引き上げることにより身体に着用させるものを意味する。
【００１２】
後ウエストパネル１７の両側縁部１８の外面には、それぞれ、テープタブ２０の近位部２１が固定されている。テープタブ２０は、横方向Ｘの外側へ伸展可能に折り畳まれており、おむつ１０を丸めて廃棄するときに使用する廃棄テープとして使用することができる。また、廃棄テープのほかに、比較的に胴回り寸法の小さい着用者に前後ウエスト域１３，１４をフィットさせるためのサイズ調整用テープとして使用することもできる。本明細書において、「テープタブ２０が伸展可能に折り畳まれている」とは、単数又は複数のテープ基材から形成されたテープタブ２０が、二つ折り、三つ折りさらにそれ以上に複数折り畳まれて伸展可能に後ウエスト域１４に取り付けられることを意味する。
【００１３】
前後ウエスト域１３，１４は、それぞれ、横方向Ｘへ延びる内端縁１３ａ，１４ａと、縦方向Ｙにおいて内端縁１３ａ，１４ａと離間対向して横方向Ｘへ延びる外端縁１３ｂ，１４ｂと、内外端縁１３ａ，１３ｂ，１４ａ，１４ｂ間において縦方向Ｙへ延びる両側縁１３ｃ，１３ｄ，１４ｃ，１４ｄとによって画定された横長矩形状を有する。
【００１４】
前ウエスト域１３の両側縁１３ｃ，１３ｄのそれぞれと後ウエスト域１４の両側縁１４ｃ，１４ｄとは、互いに重ね合わされて、縦方向Ｙへ間欠的に位置する側部シーム域２３によって連結され、ウエスト開口２４及び一対のレッグ開口とが画成される。側部シーム域２３は、公知の接合手段、例えば、熱エンボス加工、ソニック加工等の各種の熱溶着手段によってなされる。テープタブ２０は、その長さ方向において互いに対向する第１端（自由端）及び第２端（固定端）と、後ウエスト域１４の両側縁部１８に固定された近位部２１と、近位部２１と連続的に延びる遠位部２２とを有する。
【００１５】
本実施形態において、テープタブ２０は、後ウエスト域１４の両側縁部１８における縦方向Ｙの中央部近傍に配置されている。テープタブ２０がかかる配置態様を有することによって、おむつ１０を丸めて廃棄する際、例えば、テープタブ２０を掛け回してクロッチ域１５の外面に遠位部２２を止着して運搬するとき等において、ウエスト開口が開いて排泄物が露出しないようにバランス良く丸めた形態を維持することができる。ただし、本発明の効果を奏する限りにおいて、テープタブ２０は、後ウエスト域１４の両側縁部１８において縦方向Ｙの中央部以外の部分に配置されていてもよいし、一方の側縁部１８にのみ取り付けられていてもよいし、後ウエスト域１４の側縁部１８ではなく前ウエスト域１３の少なくとも一方の側縁部に取り付けられていてもよい。さらに、廃棄するときにウエスト開口及びレッグ開口から排泄物が漏れ出るのを防止できる限りにおいて、前ウエスト域１３／後ウエスト域１４のウエスト開口の近傍に単数又は複数配置されていてもよい。
【００１６】
図３を参照すると、前後ウエストパネル１６，１７は、それぞれ、前後ウエスト域１３，１４を形成する略横長矩形状の前後ウエストシート２５，２６を有する。前後ウエストシート２５，２６は、それぞれ、肌当接面側に位置する内面シート２７，２９と、非肌当接面側に位置する外面シート２８，３０とを有する。前ウエストシート２５の内外面シート２８，２９間には、横方向へ延びる複数条のストリング状又はストランド状の前ウエスト弾性体３１が伸長状態で収縮可能に取り付けられている。また、後ウエストシート２６の内外面シート２９，３０間には、横方向へ延びる複数条のストリング状又はストランド状の後ウエスト弾性体３２が伸長状態で収縮可能に取り付けられている。前後ウエスト域１３，１４は、それぞれ、前後ウエスト弾性体３１，３２の収縮力によって横方向Ｘへ伸縮可能な前後ウエスト弾性域を有する。
【００１７】
前後ウエストシート２５，２６としては、質量が約１０〜４０ｇ／ｍ２であり、繊維密度が約０．０３〜０．１ｇ／ｃｍ３である、例えば、スパンボンド不織布、ＳＭＳ（スパンボンド・メルトブローン・スパンボンド）不織布、エアスルー不織布、プラスチックシート、またはそれらのラミネートシート等を用いることができる。前後ウエスト弾性体３１，３２には、例えば、繊度が約３００〜５００ｄｔｅｘ、伸長倍率が１．５〜３．５倍のストリング状又はストランド状の弾性材料を用いることができる。前後ウエスト弾性体３１，３２は、その太さや伸長倍率は適宜変更することができる。
【００１８】
吸液構造体１２は、縦長の矩形状であって、前端部１２Ａと、後端部１２Ｂと、前後端部１２Ａ，１２Ｂ間に位置する中央部１２Ｃとを有する。吸液構造体１２は、肌当接面側に位置し、透液性を有する繊維不織布製の身体側ライナ４０と、曲状の両側縁を有する吸液性の吸収体４１と、吸収体４１の底面全体を覆う不透液性の防漏シート４２と、吸液構造体１２の非肌当接面全体を形成する疎水性の被覆シート４３とを有する。吸収体４１は、フラッフパルプと超吸収性ポリマー粒子等との混合物から形成された芯材と、芯材全体を被包するティッシュペーパ等の液吸収拡散性のコアラップシートとを含む。
【００１９】
被覆シート４３は、防漏シート４２の両側縁から横方向Ｘの外側に位置する両側部４４を有する。両側部４４は、防漏シート４２の両側縁に沿って内側に折曲され、防漏シート４２と身体側ライナ４０とに固定される。両側部４４の外側縁には、身体側ライナ４０に固定されていない、スリーブ状の自由縁部４３ａが位置し、自由縁部４３ａの内部には縦方向Ｙへ延びる複数条のストリング状又はストランド状のカフ弾性体４５が伸長状態で収縮可能に配設される。カフ弾性体４５が収縮することによって、自由縁部４３ａが身体側ライナ４０から着用者の身体側へ離間し、着用者の大腿部にフィットして排泄物の漏れを防止する。また、被覆シート４３の両側部４４と防漏シート４２との間には、複数条のストリング状又はストランド状のレッグ弾性体４６が配設される。
【００２０】
図５は、図４のＶ−Ｖ線に沿う断面図、図６は、前後ウエスト域１３，１４がその外面に皺が形成されない程度に縦方向Ｙ及び横方向Ｘに伸長された状態における、図５と同様の断面図である。なお、図４〜６及び以下の説明は、おむつ１０の一方側部について示しているが、他方側部においても同様の構成を有する。
【００２１】
図４〜６を参照すると、テープタブ２０は、厚さ方向Ｚを有し、後ウエスト域１４の側縁部１８の外面に接合部（第１及び第３接合部７１，７３）を介して固定された近位部２１と厚さ方向Ｚにおいて近位部２１と間接的又は直接的に対向する遠位部２２とを有する。近位部２１は、側部シーム域２３に固定された第１近位部２１Ａと、第１近位部２１Ａの横方向Ｘの内側においてそれと離間して位置する第２近位部２１Ｂとを有する。本明細書において、「近位部」とは、テープタブ２０のうちの後ウエスト域１４の外面に固定された単数又は複数の部分を意味し、それらが同一又は別のテープ基材から形成されたものを意味する。
【００２２】
テープタブ２０は、近位部２１と遠位部２２との間に位置してそれらと厚さ方向Ｚにおいて対向する中間部６１をさらに有する。本実施形態に係るテープタブ２０は、断面Ｚ字型に折り畳まれた複数のテープ基材（テープ片）から形成されており、具体的には、第２近位部２１Ｂを形成する第１テープ基材５１と、第１近位部２１Ａ，中間部６１及び遠位部２２を形成する第２テープ基材５２とを有する。
【００２３】
第１テープ基材５１は、一方端部（第１折曲部５６ａ）が第１折曲ライン５６に沿って厚さ方向Ｚの外側へ折り曲げられており、該折曲部５６ａと第２テープ基材５２とが第２接合部７２で接合されている。第２テープ基材５２は、その長さ方向の略中央部に位置する第２折曲ライン５７に沿って２つ折りにされた状態で側縁部１８及び第１テープ基材５１に固定されている。第１近位部２１Ａは、第２テープ基材５２の一方端部が第３接合部７３を介して側縁部１８に固定されることによって形成され、中間部６１は第１近位部２１Ａから横方向Ｘの内側へ向かって延びる部分から形成され、遠位部２２は、中間部６１の厚さ方向Ｚの外側において第２折曲ライン５７から横方向Ｘの外側へ向かって延びる部分（第２折曲部５７ａ）から形成される。第２テープ基材５２は、外面２０ａとその反対側に位置する内面５２ｂとを有する。第２テープ基材５２の外面２０ａは、折曲された状態におけるテープタブ２０の外面を形成し、第２テープ基材５２の内面５２ａは、遠位部２２の内面を形成する。
【００２４】
近位部２１，中間部６１及び遠位部２２は、互いに積層された状態において、第１及び第２折曲ライン５６，５７の間に位置し、複数のドット状を有する仮止め部６５，６６によって仮止めされる。遠位部２２は、第１折曲部５６ａに位置する第１仮止め部６５から横方向Ｘの外側に延びる摘持部６３をさらに有する。仮止め部６５，６６間における遠位部６２の内面には、フックシート６８ａとメカニカルファスナのフック要素６８ｂから形成された止着域６８が配置される。止着域６８は、おむつ１０の外面がプラスチックフィルムから形成されている場合には、感圧性の粘着剤等であってもよい。
【００２５】
テープタブ２０を形成するテープ基材は、繊維不織布、少なくともその一部に、例えば、ポリエチレン、ポリプロピレン、ポリスチレン等の熱融着性の合成繊維を含むものであって、例えば、質量が約３０〜１００ｇ／ｍ２、好ましくは質量が約４０ｇ／ｍ２以上のスパンボンド繊維不織布を用いることができる。
【００２６】
第１〜第３接合部７１，７２，７３には、接着又はソニックシールやヒートシール等の溶着による各種公知の接合手段を用いることがき、例えば、接着手段を用いる場合には、質量約５〜２０ｇ／ｍ２のホットメルト接着剤を使用することができる。仮止め部６５，６６は、公知の加圧処理や加圧加熱処理を施すことによって形成することができ、例えば、エンボス処理またはソニック処理によって形成することができる。加圧加熱処理をする場合、テープタブ２０自体が熱可塑性の合成繊維を有する場合には、熱融着によってより安定的に仮止めすることができる。また、図４を参照すると、仮止め部６５，６６は、縦方向Ｙ及び横方向Ｘにおいて互いに離間するように配置された複数のドット状を有する。このように、仮止め部６５，６６が積層された状態におけるテープタブ２０の外面に局所的に配置されることによって、それが外面全体に配置される場合に比して、テープタブ２０の柔軟性が損なわれるおそれはない。
【００２７】
図４及び後述する図７（ａ），（ｂ）を参照すると、第２テープ基材５２の外面２０ａを形成する一方面には、印刷された複数の第１表示要素３４ａを有する第１表示域３４と、印刷された複数の第２表示要素３５ａを有する第２表示域３５とが位置する。第１表示域３４は摘持部６３の外面２０ａに位置し、第２表示域３５は遠位部２２のうちの摘持部６３を除く残余部分６４の外面２０ａに位置している。第１表示要素３４ａと第２表示要素３５ａとは、視覚上区別できる程度に、互いに異なる表示を有する。本実施形態においては、第１表示要素３４ａは、テープタブ２０の幅方向へ延びる複数条のラインから構成されており、第２表示要素３５ａは、複数のドットから構成されており、第１表示域３４は縞模様、第２表示域３５は水玉模様をそれぞれ有する。
【００２８】
第１及び第２表示要素３４ａ，３５ａは、互いに視覚上区別しうる限りにおいて、白色及び乳白色以外の色彩、文字、デザイン、記号等の各種公知の表示を用いることができる。また、本明細書において「第１表示要素３４ａと第２表示要素３５ａとが、互いに異なる表示を有する」とは、視覚上区別できる程度に互いの表示が異なることを意味し、例えば、それらの表示が異なる図柄であったり、同大同形の図柄であって着色された色彩が異なるものであったり、一方が絵柄であるのに対し、他方が文字から構成されている場合等を含むものである。
【００２９】
図６を参照すると、摘持部６３を容易に摘持するために、摘持部６３の大きさは比較的に大きいことが好ましく、具体的には、横方向Ｘの寸法Ｌ２が約１０ｍｍ以上、遠位部２２の横方向Ｘの寸法Ｌ１の約２０％以上であることが好ましい。このように、摘持部６３の長さ寸法が比較的に大きいことによって、横方向Ｘの外方へ延びる摘持部６３を摘持し易くなるとともに、おむつ１０に背面視において装飾要素８２を容易に視認することができる。また、側部シーム域２３と仮止め部６５との横方向Ｘにおける離間寸法Ｒは、約５ｍｍ以上であることが好ましい。このように、離間寸法Ｒが比較的に大きく形成されることによって、摘持部６３の基端近傍が離間部分７７によって横方向Ｘの外側へ向かって起立されて、摘持部６３が正面視及び背面視において横方向Ｘの外側へ突出するような態様となる。
【００３０】
このように折り畳まれた状態で後ウエスト域１４の側縁部１８に取り付けられたテープタブ２０は、操作者が摘持部６３を摘持してそれを引っ張り方向Ｐへ引っ張ることによって、仮止め部６５，６６による仮止めが解除される。本実施形態に係るテープタブ２０は、後ウエスト域１４に固定された近位部２１が横方向Ｘにおいて互いに離間する第１近位部２１Ａと第２近位部２１Ｂとからなる、いわゆるＹ形のテープタブであるから、引っ張り方向Ｐへ引っ張ったときに、第１近位部２１Ａに作用する剥離力を低減することができる。また、かかるテープタブ２０が接合態様を有することによって、引っ張り方向Ｐではなく横方向Ｘの内側へ向かって摘持部６３を引っ張って展開するときにも、第１近位部２１Ａに作用する剥離力を低減することができる。また、テープタブ２０が所要の剥離強度を有する限りにおいて、１つのテープ基材のみから形成されていてもよいし、２つ以上の複数のテープ基材から形成されていてもよい。
【００３１】
図５を参照すると、おむつ１０の着用状態及び非着用状態において、後ウエスト域１４全体は後ウエスト弾性体３２によって横方向Ｘに収縮されて複数のギャザー８０が形成される。後ウエスト域１４における、テープタブ２０の近位部２１の配置領域には、少なくとも１条の後ウエスト弾性体３２が位置しており、該弾性体３２の収縮力によって、近位部２１はウエスト周り方向へ連続する起伏形状を有する。本実施形態においては、テープタブ２０がおむつ１０の外面に取り付けられていない状態において、前後ウエスト弾性域の収縮力はほぼ同等となるように、前後ウエスト弾性体３１，３２の本数、繊度、ピッチ等が適宜設定されている。
【００３２】
通常、前後ウエスト弾性域において互いの収縮力がほぼ同等である場合には、図５において仮想線で示すように、側部シーム域２３は前側又は後側へ傾くことなく横方向Ｘの外方へ突出するように延びる。しかし、本実施形態においては、後ウエスト域１４の側縁部１８にテープタブ２０の近位部２１が位置することによって、後ウエスト弾性域における近位部２１の存在する弾性域の収縮力が低減されて、前後方向において対向する前ウエスト域１３の弾性域よりもその収縮力が低くなる。そのため、側部シーム域２３においては、内側に位置する前ウエスト域１３の側縁部からなる前方部分２３ａの収縮量が外側に位置する後ウエスト域１４の側縁部１８からなる後方部分２３ｂの収縮量よりも大きくなり、前方部分２３ａの横方向Ｘの寸法が後方部分２３ｂのそれよりも小さくなって、側部シーム域２３は後方部分２３ｂを外側として横方向Ｘの内側へ湾曲した形状となる。
【００３３】
このように、側部シーム域２３が湾曲した形状を有することによって、側部シーム域２３及びそれの横方向Ｘの外側及び内側に隣接する部分も同様に湾曲した形状となるとともに、側部シーム域２３とその横方向Ｘの外側に隣接する部分８１とに固定された第１近位部２１Ａも湾曲した形状となる。仮止め部６５よりも側部シーム域２３側に位置する摘持部６３は、それと対向する中間部６１と接合されていないので、中間部６１と離間して厚さ方向Ｚの外側へ延びる。
【００３４】
図１及び２を参照すると、前後ウエスト域１３，１４が収縮された状態、すなわち、おむつ１０の着用状態において、テープタブ２０がかかる態様を有することから、摘持部６３がおむつ１０の両側縁部１０ｂから横方向Ｘの外側へ突出した状態となる。そのため、おむつ１０の廃棄時やサイズ調整時においてテープタブ２０を展開するときに、摘持部６３が湾曲した中間部６１と重なって摘持し難くなるおそれはなく、中間部６１から離間して厚さ方向Ｚへ延出した摘持部６３を容易に摘持することができるので、操作性に優れる。
【００３５】
再び、図５を参照すると、後ウエスト域１４が複数のギャザー８０による起伏形状を有し、それに固定された第２近位部２１Ｂも横方向Ｘへ収縮して起伏形状を有する一方、第２近位部２１Ｂと対向する中間部６１及び遠位部２２とは、第２近位部２１Ｂに固定されておらず、かつ、遠位部２２の内面には止着域６８が形成されて局所的に剛性が高くなっていることから起伏していない。第１近位部２１Ａと第２近位部２１Ｂとが横方向Ｘにおいて互いに離間する離間部分７７は、それと対向する側縁部１８が収縮することから厚さ方向Ｚの外側へ凸曲した形状を有する。仮止め部６５が第１折曲部５６ａに位置していることから、離間部分７７は摘持部６３の基端近傍と対向しており、そのために摘持部６３の基端近傍が離間部分７７上に位置して摘持部６３はより安定的に横方向Ｘの外側へ延出した態様を呈する。また、摘持部６３が凸曲した離間部分７７上に位置するので、引っ張り方向Ｐへスライドさせるように摘持部６３を引っ張ることによって仮止め部６６，６５の仮止めを解除することができる。このように、主としてせん断力で仮止めを解除することができるので、より小さい引っ張り力でテープタブ２０を展開することができる。
【００３６】
図７（ａ）は、折り畳まれた状態におけるテープタブ２０の平面図、図７（ｂ）は、展開された状態におけるテープタブ２０の平面図、図８（ａ）は、おむつ１０を廃棄するときに、テープタブ２０を操作する様子を示す図、図８（ｂ）は、折り畳んだおむつ１０にテープタブ２０を止着した様子を示す図である。なお、図８（ａ），（ｂ）に示すおむつ１０は、両側部を前ウエスト域１３又は後ウエスト域１４が内側になるように横方向Ｘの内側へ折り曲げた後に、横方向Ｘへ延びる折曲線に沿ってクロッチ域１５をウエスト域側へ折り曲げることによってコンパクトになった形態であって、おむつ１０を廃棄するときに採用される折曲態様として公知のものである。
【００３７】
図７（ａ），（ｂ）を参照すると、既述のとおり、摘持部６３の外面には、テープタブ２０の幅方向へ延びる複数のライン状の第１表示要素３４ａから構成された縞模様を有する第１表示域３４が位置し、遠位部２２のうちの摘持部６３を除く残余部分６４の外面には、複数のドット状の第２表示要素３５ａから構成された水玉模様を有する第２表示域３５が位置している。通常、テープタブ２０は、おむつ１０の外面と同様に、不織布製又はプラスチック製のテープ基材本来の白色を有し、おむつ１０の外観視においてその外形輪郭を視認し難く、テープタブ２０を使用する際に、摘持部６３を摘持し難いことがあった。本実施形態に係るおむつ１０においては、テープタブ２０の外面２０ａに着色及び／又はデザインが付された第１及び第２表示域３４，３５が配されていることによって、テープタブ２０の外形輪郭を容易に視認することができ、摘持部６３を摘持することができる。
【００３８】
テープタブ２０の遠位部２２において、摘持部６３の外面に配された第１表示域３４と、残余部分６４の外面に位置する第２表示域３５とが異なる表示要素を有することから、着用者は、テープタブ２０全体に対する摘持部６３の相対的な大きさ、範囲を容易に認識することができる。また、このように、テープタブ２０を展開するときに摘持するための摘持部６３の外面に配置された第１表示域３４の表示要素と、残余部分６４の外面に配された第２表示域３５の表示要素とが相違することから、第１及び第２表示域３４，３５は、それぞれ、それが配された部分の有する機能を表した機能表示部としての役割を果たしうる。
【００３９】
図８（ａ），（ｂ）を参照すると、おむつ１０を廃棄する際には、着用補助者がおむつ１０を折り畳んだ後に、一方の手で折り畳まれたおむつ１０を押さえるとともに、テープタブ２０の摘持部６３を摘持し、互いに重ねられた前後ウエスト域１３，１４からなる第１部分８４をクロッチ域１５からなる第２部分８５に押し当てるように引っ張り方向Ｐへ引っ張りながら展開する。次に、展開したテープタブ２０の止着域６８をおむつ１０の外面（クロッチ域１５の外面）に押し当てて止着する際に、第２表示域３５が配された部分を親指で押し当てることによって止着域６８が止着される。止着域６８は、遠位部２２の内面５２ｂに配置されていることからテープタブ２０の外観視においてその存在域を視認することが困難であるが、該存在領域に第２表示域３５が位置することによって止着域６８を確実に指で押し当てて止着させることができる。
【００４０】
このように、テープタブ２０の外観視において遠位部２２の内面に位置する止着域６８の存在域を認識するために、第２表示域３５は少なくとも止着域６８の存在域に配されていればよく、遠位部２２のうちの止着域６８から横方向Ｘの内側に位置する部分には第２表示域３５が配されていなくてもよい。ただし、遠位部２２のうちの摘持部６３を除く残余部分６４全体の外面に第２表示域３５が配されていることによって、着用補助者は意識的に親指の中腹全体で第２表示域３５をおむつ１０の外面に押し当てることになるので、止着域６８及びそれに隣接する部分が押し当てられてより確実に止着がなされ得る。
【００４１】
また、おむつ１０は、前後ウエスト域１３，１４を構成するパネル部材が同大同形であるので、外観において瞬時におむつ１０の前後を判別することは困難であるところ、このように、テープタブ２０の外面に第１及び第２表示域３４，３５を配置することによって、第１表示域３４が前側、第２表示域３５が後側に位置するので、着用者／着用補助者はおむつ１０の前後を判別することができる。したがって、前後ウエスト域１３，１４に前後を区別するための表示がなくても、着用する前に前後の判別を容易にしてスムーズに着用操作を行うことができる。
【００４２】
既述のとおり、本実施形態に係るテープタブ２０は、第１近位部２１Ａが側部シーム域２３に固定されていることによって、摘持部６３は厚さ方向Ｚにおいてそれと対向する中間部６１と離間して横方向Ｘの外側へ延びる。さらに、離間部分７７が厚さ方向Ｚの外側へ凸曲した形状をなし、離間部分７７上に位置する摘持部６３が横方向Ｘの外側へより延出した態様となる。したがって、遠位部２２において摘持部６３のみが横方向Ｘの外側へ突出した態様となり、より摘持が容易となるとともに、第１表示域３４を視認しやすくなる。なお、近位部２１／第１近位部２１Ａは、その配置領域が前側へ移動する限りにおいて、側部シーム域２３上に位置していなくてもよく、後ウエスト域１４の側縁部１８であって側部シーム域２３よりも横方向Ｘの内側に位置していてもよい。
【００４３】
図７（ａ）を参照すると、第１表示域３４と第２表示域３５との境界近傍には、第１仮止め部６５が位置している。第１仮止め部６５がかかる配置態様を有することによって、中間部６１から離間した部分がすべて摘持部６３となるから、その全体を容易に摘持することができ、また、第１仮止め部６５の横方向Ｘの内側に止着域６８が隣接することによって、止着操作をするときに止着域６８を確実におむつ本体１０Ａの外面に押し当てることができる。
【００４４】
また、テープタブ２０の折り畳まれた状態において第１表示域３４の第１表示要素３４ａの総面積が第２表示域３５の第２表示要素３５ａの総面積よりも大きくなっている。一方、テープタブ２０の展開された状態においては、第１表示域３４の第１表示要素３４ａの総面積が第２表示域３５の第２表示要素３５ａの総面積よりも小さくなっている。このように、テープタブ２０の折り畳まれた状態と展開された状態とで、第１表示要素３４ａの総面積と第２表示要素３５ａの総面積との相関関係が異なることから、テープタブ２０を使用する際には、摘持部６３をより認識し易く、テープタブ２０を展開しておむつ１０の外面に止着したときには、第２表示要素３５ａがより認識しやすくなる。したがって、例えば、
第２表示要素３５ｂの装飾性（デザイン性）を第１表示要素３４ａのそれよりも高くすることによって、テープタブ２０の止着状態においては第２表示域３５が比較的大きく表れるので、おむつ１０の外観視における意匠性が向上する。
【００４５】
第１及び第２表示要素３４ａ，３５ａには、互いに視覚上区別しうる限りにおいて、着色、文字、デザイン、記号等の各種公知の表示要素を用いることができる。テープタブ２０を展開した状態におけるおむつ１０の外観上の意匠性を向上させるために、例えば、第２表示要素３５ａとして複数のドット状からなる水玉模様や複数の三角形、星形、矩形等の非連続性の図柄を用いた場合には、第１表示域３４の第１表示要素３４ａはライン模様等の連続性の図柄であることが好ましい。かかる場合には、第１表示域３４と第２表示域３５との区別がし易く、両表示域３４，３５の境界を把握することができる。
【００４６】
図７（ｂ）を参照すると、遠位部２２は、摘持部６３を除く残余部分６４を有し、残余部分６４の外面２０ａ全体に第２表示域３５が位置している。前記テープタブ２０を展開した状態において、第２表示域３５は、内面５２ｂに止着域６８が位置する第１区域６４Ａと、第１区域６４Ａと隣接する第２区域６４Ｂと、近位部２１側に位置し、かつ、第２テープ基材５２とは別体の第１テープ基材５１（折曲部分５６ａ）が外面２０ａに配置された第３区域６４Ｃとを有する。
【００４７】
第１区域６４Ａでは、内面５２ｂに配置された白色又は乳白色のフックシート６８ａが透過されることによって、第２テープ基材５２の一方面である外面２０ａに印刷された第２表示要素３５ａが、第２区域６４Ｂに比べて、より鮮明に視認される。一方、第３区域６４Ｃでは、第１テープ基材５１が第２テープ基材５２を覆うように配置されているので、第２区域６４Ｂに比べて、第２表示要素３５ａの視認性が低下する。このように、第２表示域３５の各区域６４Ａ，６４Ｂ，６４Ｃにおける第２表示要素３５ａの視認性の相関関係が、第１区域６４Ａ＞第２区域６４Ｂ＞第３区域６４Ｃとなるので、第２表示域３５は近位部２１側から摘持部６３側へ向かって色彩が濃くなっている。したがって、第２表示要素３５ａ自体の色彩をコントロールしなくても、各区域６４Ａ〜６４Ｃの色の濃淡を相違させることができる。第２表示域３５における色の濃淡の相違によるコントラストによって、テープタブ２０は意匠性が向上するとともに、着用補助者は第２表示域３５全体における止着域６８が配置された領域を容易に把握することができる。
【００４８】
本実施形態において、摘持部６３の外面２０ａに第１表示域３４が配置されているが、外部から視認可能な限りにおいて、摘持部６３の内面に第１表示域３４が配置されていてもよい。後ウエスト域１４の収縮状態において、離間部分７７が厚さ方向Ｚの外側へ凸曲した形状をなし、離間部分７７上に位置する摘持部６３が横方向Ｘの外側へより延出した態様となるので、摘持部６３の内面が露出する。したがって、摘持部６３の内面に第１表示域３４が配置されることによっても、着用者は摘持部６３を把握することができ、その限りにおいて、外面２０ａに位置する第１表示域３４が内面側から視認できるように透視されていてもよい。さらに、摘持部６３の外面２０ａと内面５２ｂとにおいて、それぞれ、異なる意匠を有する装飾要素を配置してもよい。
【００４９】
図９は、実施例の一例における図６と同様の断面図である。本実施例に係るテープタブ２０は、１つのテープ基材が２つに折り畳まれた状態であって、後ウエスト域１４の側縁部１８に固定された近位部２１と、厚さ方向Ｚにおいて近位部２１に対向する遠位部２２とを有する。近位部２１と遠位部２２とは、仮止め部６５，６６を介して互いに仮止めされており、摘持部６３を引っ張って仮止めを解除することによって、テープタブ２０を展開しうる。テープタブ２０の摘持部６３の外面２０ａには第１表示要素３４ａ（図示せず）を有する第１表示域３４が位置し、遠位部２２のうちの摘持部６３を除く部分６４には、第１表示要素３４ａとは形態の異なる第２表示要素３５ａ（図示せず）を有する第２表示域３５が位置している。このように、テープタブ２０が、単数のテープ基材を２つに折り畳んだ態様であっても、おむつ１０の外観視において第１表示域３４と第２表示域３５とを区別することができる。
【００５０】
本明細書において、「第１及び第２表示域３４，３５が視認される」とは、蛍光灯によって一定の明るさを有する室内、例えば、白昼色（色温度が約４６００〜５４００Ｋ）の蛍光灯を使用した一定の明るさ（例えば、５００〜７５０ルクス）を有する室内において約４０〜５０ｃｍの離間距離で、両眼が良好な視力（１．０以上）を有する着用者がおむつ１０を視たときに、第１及び第２表示域３４ａ，３５ａの色や模様等の意匠要素を認識することができることを意味する。
【００５１】
図１０は、他の実施例の一例におけるおむつ１０の背面図、図１１は、他の実施例の一例における図５と同様の図である。
【００５２】
図１０及び図１１を参照すると、本実施例では、図５及び図６に示す形態と同様の形態をなす、１つのテープタブ２０が、後ウエスト域１４のウエスト開口縁部に取り付けられている。テープタブ２０の摘持部６３の外面２０ａには第１表示域３４が位置し、残余部分６４には第２表示域３５が位置している。おむつ１０を廃棄するときには、おむつ１０を丸めるように折り畳んだ後に、ウエスト開口側へ向かってテープタブ２０を展開して折り畳んだおむつ１０に掛け回すことによって、ウエスト開口から排泄物を漏出させることなく、おむつ１０を廃棄することができる。遠位部２２の摘持部６３の外面２０ａには第１表示域３４が位置し、残余部分６４の外面２０ａには第２表示域３５が位置しており、おむつ１０の外観視において第１表示域３４と第２表示域３５とを区別しうる。
【００５３】
また、かかる配置態様であっても、テープタブ２０の離間部分７７は、厚さ方向Ｚの外方へ湾曲した形状をなし、摘持部６３が離間部分７７からさらに厚さ方向の外側へ延びるような態様を有することができる。すなわち、例えば、ｉ）後ウエスト域１４全体が複数の後ウエスト弾性体３２の収縮力によって弾性化されており、近位部２１のうちの第２近位部２１Ｂの配置領域においては後ウエスト弾性体３２が切断又は除去されている場合、ｉｉ）第２近位部２１Ｂには、吸液構造体１２のうちの吸収体の後端縁から縦方向Ｙの外側へ延びるエンドフラップが位置し、第１近位部２１Ａに比して剛性が高くなっている場合等においては、近位部２１における後ウエスト弾性体３２による収縮量が、第１近位部２１Ａ＞第２近位部２１Ｂの関係になり、第１近位部２１Ａと第２近位部２１Ｂとの収縮量の差によってそれらの間に位置して後ウエスト域１４に固定されていない離間部分７７が、厚さ方向Ｚの外方へ凸曲するような形状となる。
【００５４】
図１１を参照すると、本実施例においては、第２近位部２１Ｂの存在域に吸液構造体１２のエンドフラップ８８が位置しており、第２近位部２１Ｂの存在域の剛性が第１近位部２１Ａの存在域の剛性よりも高くなっており、第２近位部２１Ｂの存在域の収縮量よりも第１近位部２１Ａの存在域の収縮量の方が大きくなっている。そのために、後ウエスト域１４の収縮状態において、離間部分７７は、厚さ方向Ｚの外側へ湾曲した形状をなし、廃棄時に摘持部６３を容易に摘持することができる。
【００５５】
図１２は、さらに他の実施例の一例における図８（ｂ）と同様の図である。本実施例に係るおむつ１０では、第２部分８５の外面に星柄の中央表示要素（表示要素）９０が配置されている。一対のテープタブ２０の第２表示域３５は表示要素９０と同形同大の星柄からなる第２表示要素（側方表示要素）９１を有する第２表示域３５が配置されており、一対のテープタブ２０を第２部分８５の外面に止着した状態において、中央表示要素９０の両側に第２表示要素９１が位置する。テープタブ２０がかかる止着態様を有することによって、それらの表示要素９０，９１が連関して３つの星柄が並んだデザイン（スリースター）を形成している。このように、テープタブ２０の第１表示域３４又は第２表示域３５の表示要素が、止着された状態において、前後ウエスト域１３，１４又はクロッチ域１５から形成された部分の外面に位置する中央表示要素９０と連関して特定の意匠性、観念性又は物語性を有することによって、おむつ１０の外観上の装飾性が向上する。
【００５６】
本実施例において、中央表示要素９０と第２表示要素９１とには、各種公知の表示要素を用いることができる。中央表示要素９０は、第２部分８５の外面に印刷等によって配置される場合のほかに、例えば、防漏シート４２に印刷されて被覆シート４３を透過しておむつ１０の外面から視認されていてもよい。
【００５７】
おむつ１０を構成する各構成部材には、特に限定されている場合を除き、本明細書に記載されている材料のほかに、この種の分野において通常用いられている、各種公知の材料を制限なく使用することができる。また、おむつは、本実施形態と異なり、前ウエスト域１３と、後ウエスト域１４と、クロッチ域１５とが一連に延びるパネル部材（シャーシ）から形成された態様であってもよい。本明細書及び特許請求の範囲において、用語「第１」、「第２」及び「第３」は、同種の要素、位置等を単に区別するために用いられている。
【００５８】
以上に記載した本発明は、少なくとも下記事項に整理することができる。
【００５９】
肌当接面及び非肌当接面と、前後ウエスト域の一方である第１ウエスト域と他方である第２ウエスト域と、前記第１及び第２ウエスト域の側縁部どうしが互いに接合された側部シーム域と、前記第１ウエスト域の前記非肌当接面に取り付けられたテープタブとを有する使い捨て着用物品において、前記テープタブは、厚さ方向と、前記第１ウエスト域の前記非肌当接面に固定された近位部と、前記近位部と前記厚さ方向において対向する遠位部とを有し、前記遠位部は、内面及び外面と、前記内面に位置する止着域と、前記止着域よりも先端側に位置する摘持部とを有し、前記摘持部の前記外面には、第１表示要素を有する第１表示域が位置し、前記止着域の存在する領域の前記外面には、第２表示要素を有する第２表示域が位置しており、前記第１表示要素と前記第２表示要素とは、互いに表示が異なる。
【００６０】
上記段落００５９に開示した第１発明は、少なくとも下記の実施の形態を含むことができる。下記の実施の形態は、単独又はそれらの組み合わせであってもよい。
（１）縦方向及びそれに交差する横方向をさらに有し、前記第１及び第２ウエスト域は、前記横方向へ弾性的に伸縮可能であって、前記近位部の一部は前記側縁部に固定されており、前記第１及び第２ウエスト域の収縮状態において、前記側部シーム域が前記第１ウエスト域を外側にして前記横方向において湾曲することによって前記近位部の一部も湾曲し、前記摘持部が前記近位部の前記湾曲した部分と離間して前記横方向の外側へ延出する。
（２）前記近位部の一部は、前記側縁部のうちの前記側部シーム域に固定される。
（３）前記テープタブは、前記近位部と前記遠位部との間に位置する中間部をさらに有し、前記近位部は、前記側部シーム域に固定された第１近位部と、前記第１近位部の横方向の内側においてそれと離間して位置する第２近位部とを有し、前記中間部において、前記第１近位部と前記第２近位部との間に位置する、前記第１ウエスト域の側縁部に非固定の離間部分は、前記第１及び第２ウエスト域の収縮状態において、前記厚さ方向の外側へ凸曲した形状を有する。
（４）前記テープタブは、前記近位部と前記遠位部との間に位置する中間部をさらに有し、前記近位部は、前記第１ウエスト域に固定された第１近位部と、前記第１近位部の縦方向の内側においてそれと離間して位置する第２近位部とを有し、前記第１ウエスト域が収縮した状態において前記第１近位部の配置領域の収縮量が前記第２近位部の収縮量よりも大きく、前記中間部において、前記第１近位部と前記第２近位部との間に位置する前記第１ウエスト域に非固定の離間部分は、前記厚さ方向の外側へ凸曲した形状を有する。
（５）前記摘持部と前記止着域との境界近傍には、前記近位部と前記遠位部とを仮止めするための仮止め部が位置する。
（６）前記テープタブの折り畳まれた状態において、前記第１表示要素の総面積が前記第２表示要素の総面積よりも大きく、前記テープタブの展開された状態において、前記第２表示要素の総面積が前記第１表示要素の総面積よりも大きい。
（７）前記第１表示要素が連続的な形状を有し、前記第２表示要素が非連続的な形状を有しており、前記第２表示要素の装飾性が前記第１表示要素の装飾性よりも高い。
（８）前記テープタブを前記非肌当接面に止着した状態において、前記第１及び第２表示要素のうちの一方と前記非肌当接面において視認される表示要素とが連関性を有する。
（９）前記遠位部は、前記摘持部を除く残余部分を有し、前記残余部分の外面全体に前記第２表示域が位置する。
（１０）前記テープタブは、前記遠位部を形成する、前記第１及び第２表示域が配置されたテープ基材をさらに有し、前記テープタブを展開した状態において、前記第２表示域は、前記内面に前記止着域が位置する第１区域と、前記第１区域と隣接する第２区域と、前記近位部側に位置し、かつ、前記テープ基材とは別体のシートが前記外面に配置された第３区域とを有し、前記各区域における前記第２表示要素の視認性の相関関係が、第１区域＞第２区域＞第３区域である。
【符号の説明】
【００６１】
１０  使い捨ておむつ（使い捨て着用物品）
１３  前ウエスト域（第１又は第２ウエスト域）
１４  後ウエスト域（第１又は第２ウエスト域）
１８  後ウエスト域の側縁部（第１ウエスト域の側縁部）
２０  テープタブ
２１  近位部
２１Ａ  第１近位部
２１Ｂ  第２近位部
２２  遠位部
３４  第１表示域
３４ａ  第１表示要素
３５    第２表示域
３５ａ  第２表示要素
５１  第１テープ基材
５２  第２テープ基材
５６ａ  折曲部（第１折曲部）
５７ａ  折曲部（第２折曲部）
６４    残余部分
６４Ａ  第１区域
６４Ｂ  第２区域
６４Ｃ  第３区域
６５，６６  仮止め部
６８  止着域
７７  離間部分
６１  中間部
６３  摘持部
６８  止着域
Ｘ  横方向
Ｙ  縦方向
Ｚ  厚さ方向
【図１】
0006532725.tif 000002
【図２】
0006532725.tif 000003
【図３】
0006532725.tif 000004
【図４】
0006532725.tif 000005
【図５】
0006532725.tif 000006
【図６】
0006532725.tif 000007
【図７】
0006532725.tif 000008
【図８】
0006532725.tif 000009
【図９】
0006532725.tif 000010
【図１０】
0006532725.tif 000011
【図１１】
0006532725.tif 000012
【図１２】
0006532725.tif 000013